(57)【特許請求の範囲】
【請求項１】
金属製の取付板に折曲片を設け、第１の磁気ヘッドの側面と第２の磁気ヘッドの側面とを接合した接合部には凹部を設け、前記凹部には前記折曲片を挿入し、前記接合部に位置する前記側面と前記折曲片との間に接着剤を充填して、前記第１及び第２の磁気ヘッドを前記取付板に固定したことを特徴とする磁気ヘッドの取付構造。
【請求項２】
前記折曲片が２個対向して設けられ、２個の前記折曲片の間に前記第１の磁気ヘッドを位置させて、一方の前記折曲片を前記凹部内に、他方の前記折曲片を前記第１の磁気ヘッドの他方の側面にそれぞれ配設し、前記他方の折曲片と前記他方の側面との間に接着剤を充填したことを特徴とする請求項１記載の磁気ヘッドの取付構造。
【請求項３】
前記第１の磁気ヘッドは、磁性金属からなるシールドケースによって前記側面が形成されると共に、前記第２の磁気ヘッドは、合成樹脂製のケースによって前記側面が形成され、前記凹部が合成樹脂製の前記ケースに形成されたことを特徴とする請求項１記載の磁気ヘッドの取付構造。
【請求項４】
前記第１の磁気ヘッドの底部が前記取付板の表面から間隙を備えた浮いた状態とし、該間隙に接着剤を充填したことを特徴とする請求項１、２又は３記載の磁気ヘッドの取付構造。
【請求項５】
前記折曲片は、前記取付板の一部を切り起こし、且つ絞り加工により薄く引き延ばして形成したことを特徴とする請求項１、２、３又は４記載の磁気ヘッドの取付構造。
【発明の詳細な説明】
【０００１】
【発明の属する技術分野】
本発明は磁気ヘッドの取付構造、特に、ＶＴＲ用の音声／コントロールヘッドと消去ヘッドなどの複合体からなる磁気ヘッドを取付板に取り付けた磁気ヘッドの取付構造に関する。
【０００２】
【従来の技術】
図７は、従来のこの種の磁気ヘッドの取付構造を示す正面図である。該磁気ヘッド１は、音声／コントロールヘッドからなる第１の磁気ヘッド２と消去ヘッドからなる第２の磁気ヘッド３とを結合した複合体からなる。第１の磁気ヘッド２は、音声用のヘッドコア４とコントロール用ヘッドコア５とが磁気テープの巾方向に所定の間隔を持たせてパーマロイ等の磁性金属からなるシールドケース６内に挿入され、シールドケース６のテープ摺接面に各コア４、５のギャップ部４ａ、５ａを露出させ、また、両コア４、５の間のテープ摺接面にはステンレス等の耐磨耗性の材料からなる前面板７を設けて構成されている。
また、第２の磁気ヘッド３は、合成樹脂製のケース８内に消去用のヘッドコア９を挿入し、テープ摺接面に該コア９のギャップ部９ａを露出し、ケース８内に樹脂を充填した構成とするか、又は、ヘッドコア９を直接モールド樹脂により一体成形した構成となっている。
【０００３】
前記第１及び第２の磁気ヘッド２及び３は、そのケース６及び８の側面同志を位置精度良く突き合わせ、接着剤、ネジ等（図示せず）により結合して複合体とし、該磁気ヘッド１の上面にはパーマロイ等のシールドカバー１０がネジ１１止めされて形成されている。
【０００４】
次に、前記磁気ヘッド１の取付板１２への取付構造としては、圧延鋼板等からなる取付板１２に透孔１２ａを設け、第１の磁気ヘッド２のシールドケース６の底部に開口部６ａを形成し、シールドケース６内に事前に挿入したステンレス等のカラー部材１３のバーリングタップ１３ａをその開口部６ａから突出させ、バーリングタップ１３ａの先端を取付板１２の透孔１２ａに一部挿入する。バーリングタップ１３ａの開口部１３ｂには雌ネジが形成されていて、取付板１２の裏面から透孔１２ａに雄ネジ１４を挿入し、バーリングタップ１３ａの雌ネジに螺合することにより取り付けている。
【０００５】
また、その他の従来例に係る磁気ヘッドの取付構造について図８により説明する。同図においては、前記第２の磁気ヘッド３を省略して第１の磁気ヘッド２のみ示している。取付板１５の表面には予め４個の突部１５ａが設けられている。音声ヘッドコア４及びコントロールヘッドコア５を設けた第１の磁気ヘッド２のシールドケース６の底面を取付板１５の突部１５ａの上に乗せる。次に、抵抗溶接装置を用い、突部１５ａの裏面側から装置の一方の電極１６を取付板１５に接触させ、またシールドケース６の上面に他方の電極１７を接触させる。この状態で、電極１６と電極１７を第１の磁気ヘッド２に対して加圧しながら電流を流す。これにより、４個の突部１５ａが加熱されて溶けることで、第１の磁気ヘッド２の底面と取付板１５とが溶接されて取り付けられる。
【０００６】
【発明が解決しようとする課題】
しかしながら、従来の磁気ヘッドの取付構造において、ネジ止めによる場合は、雌ネジを切ったカラー部材１３及びそれに止める雄ネジ１４が必要であり、ネジを切ること自体が煩雑な上、部品点数が増え、コスト高となると共に、組立作業が面倒であるという問題点がある。
また、溶接による場合は、４個の突部１５ａの溶融にバラツキが生じ易く、従って、磁気ヘッドと取付板１５との接着強度がばらつくという問題点がある。更に、抵抗溶接装置の電気的及び機械的な調整と、その維持管理が煩雑であるという欠点がある。
また、上記の何れの取付構造においても、取付板１２又は１５に対する磁気ヘッドの位置決め（アジマス、チルト、首振り、コア高さ等）が精度良く決まらず、磁気ヘッドを取付板１２又は１５を介して機器に取り付ける際に、磁気ヘッドの位置（姿勢）を調整しなければならないという問題点があった。
本発明は上記の問題点に鑑みなされたもので、極めて単純な構造で、且つ位置精度の高い磁気ヘッドの取付構造を提供することを目的とする。
【０００７】
【課題を解決するための手段】
本発明の磁気ヘッドの取付構造は、金属製の取付板に折曲片を設け、第１の磁気ヘッドの側面と第２の磁気ヘッドの側面とを接合した接合部には凹部を設け、前記凹部には前記折曲片を挿入し、前記接合部に位置する前記側面と前記折曲片との間に接着剤を充填して、前記第１及び第２の磁気ヘッドを前記取付板に固定したことにある。
従って、凹部に挿入された金属製の折曲片が接着剤に埋設された取付構造となる。また、磁気ヘッドは折曲片を基準に取り付けられると共に、凹部に折曲片を挿入するだけで、取付板と磁気ヘッドとの位置決めが容易となる。
【０００８】
また、前記折曲片が２個対向して設けられ、２個の前記折曲片の間に前記第１の磁気ヘッドを位置させて、一方の前記折曲片を前記凹部内に、他方の前記折曲片を前記第１の磁気ヘッドの他方の側面にそれぞれ配設し、前記他方の折曲片と前記他方の側面との間に接着剤を充填したことにある。
【０００９】
また、前記第１の磁気ヘッドは、磁性金属からなるシールドケースによって前記側面が形成されると共に、前記第２の磁気ヘッドは、合成樹脂製のケースによって前記側面が形成され、前記凹部が合成樹脂製の前記ケースに形成されたことにある。
【００１０】
また、本発明の磁気ヘッドの取付構造は、前記第１の磁気ヘッドの底部が前記取付板の表面から間隙を備えた浮いた状態とし、該間隙に接着剤を充填したことにある。従って、取付板への磁気ヘッドの取り付け高さを調整して固定できる。
【００１１】
また、本発明の磁気ヘッドの取付構造は、前記折曲片は、前記取付板の一部を切り起こし、且つ絞り加工により薄く引き延ばして形成したことにある。従って、折曲片を薄く且つ長くできる。
【００１２】
【発明の実施の形態】
図１は、本発明の磁気ヘッドの取付構造の一実施の形態を示す要部分解斜視図であり、圧延鋼板等からなる取付板３２には所定の箇所に打ち抜きにより、開口３２ａとその両側に対向した一対の折曲片３２ｂ、３２ｃとが設けられている。該折曲片３２ｂ、３２ｃの形成方法は、図２Ａ，Ｂに示すように、略１．２ｍｍの厚さの取付板３２を金型３３に載置し、第１工程として、同図Ａにおいて、ポンチＡにより上方から取付板３２を打ち抜きその一部を両側に折り曲げて折曲部３２ｂ’、３２ｃ’を設ける。その後、第２工程として、同図Ｂにおいて、ポンチＡより径の大きいポンチＢを用い、前記折曲部３２ｂ’、３２ｃ’に絞り加工を施し、略０．５ｍｍの厚さに薄く延ばして折曲片３２ｂ、３２ｃを形成するものである。
なお、折曲片の形成方法としては、一つの開口３２ａの両側に窓を開くように一度に一対の折曲片３２ｂ、３２ｃを設ける代わりに、図３に示すように、外側から切り起こし、二つの開口３２ｅ，３２ｅの一側端にそれぞれ折曲片３２ｂ、３２ｃを設け、互いに対向するようにしても良く、取付板３２の形状により任意に選択すればよい。特に、折曲片３２ｂ、３２ｃの何れか一方の折曲片３２ｂ又は３２ｃが取付板３２の基台３２ｆの周縁部３２ｇ形成される構造においては、かかる外側から切り起こす形成方法でないと折曲片を設けられない。
【００１３】
次に、本発明の磁気ヘッド２１のうち、音声／コントロールヘッドからなる第１の磁気ヘッド２２は、前記従来例と同様に、音声用のヘッドコア２４とコントロール用のヘッドコア２５とが所定の間隔を有してパーマロイ等の磁性金属からなるシールドケース２６内に挿入され、シールドケース２６のテープ摺接面に各コア２４、２５のギャップ部２４ａ，２５ａを露出させ、また、両コア２４、２５の間のテープ摺接面に耐磨耗性の材料からなる前面板２７を設けて構成されている。
また、消去ヘッドからなる第２の磁気ヘッド２３は、合成樹脂製のケース２８内に消去用のヘッドコア２９を挿入し、テープ摺接面にギャップ部２９ａを露出して、更に、テープ摺接面には非磁性フェライト等の耐磨耗性の摺動板３６が貼り付けて構成されている。また、ケース２８の第１の磁気ヘッド２２に対向する側の側面２８ａには、底部から中央部に向かって延びた凹部２８ｃが形成されている。なお、第２の磁気ヘッド２３のヘッドコア２９は、第１の磁気ヘッド２２のヘッドコア２４により記録された音声トラックを消去するためのものである。そして、第１の磁気ヘッド２２及び第２の磁気ヘッド２３は対応するヘッドコア２４及び２９の位置関係が精度良く位置決めされるように、対向するシールドケース２６の一方の側面２６ａとケース２８の一方の側面２８ａを互いに突き合わせ、接着剤等の適宜手段（図示せず）により接合される。
【００１４】
次に、パーマロイ等からなるシールドカバー３０は、背面板３０ａと背面板３０ａから略直角に折曲げられた一対の側板３０ｂ、３０ｃと上板３０ｄとから構成され、該シールドカバー３０の一対の側板３０ｂ、３０ｃを第１及び第２の磁気ヘッド２２及び２３の外側の側面２６ｂ及び２８ｂにそれぞれ弾圧挟持し、その上板３０ｄを第１及び第２の磁気ヘッド２２及び２３の上面に被せて、両磁気ヘッド２２、２３に取り付けられる。また、シールドカバー３０は上板３０ｄに設けた孔３０ｅから接着剤３１を充填することにより第１及び第２の磁気ヘッド２２及び２３に固定し、複合体からなる磁気ヘッド２１が形成される。なお、第１及び第２の磁気ヘッド２２及び２３の各端子２２ａ及び２３ａは背面板３０ａに設けた孔３０ｆから外方に突出されている。
【００１５】
上記磁気ヘッド２１の取付板３２への取付構造は、図４に示すように、取付板３２の一方の折曲片３２ｂを磁気ヘッド２１の底部側から第２の磁気ヘッド２３の側面２８ａに設けた凹部２８ｃに挿入し、一方の折曲片３２ｂと他方の折曲片３２ｃとで第１の磁気ヘッド２２の外側の側面２６ｂを挟持するようにして、磁気ヘッド２１を取付板３２に載置する。そして、凹部２８ｃの内部、第１の磁気ヘッド２２と他方の折曲片３２ｃとの間、及び第１の磁気ヘッド２２の底部と取付板３２の表面との間にエポキシ樹脂等の接着剤（図示せず）を充填することにより確実に固定したものである。
【００１６】
上記取付構造によれば、折曲片３２ｂ、３２ｃは折曲げ絞り加工により、取付板３２の表面に対して垂直に精度良く立設することができる。そして、この折曲片３２ｂ、３２ｃを基準に磁気ヘッド２１を取り付けることができるため、磁気ヘッド２１のアジマス角、すなわち、第１の磁気ヘッド２２のヘッドコア２４、２５のギャップ部２４ａ，２５ａの方向（図４の矢印Ｚ方向）を取付板３２の表面に垂直に精度良く設定することができる。
また、図５の本実施の形態の側面図に示すように、磁気ヘッド２１の取付の際に、第２の磁気ヘッド２３の凹部２８ｃに挿入した一方の折曲片３２ｂの側端面３２ｄを凹部２８ｃの一方の内側壁２８ｄに当接させて位置決めすることにより、磁気ヘッド２１のチルト角、すなわち、取付板３２の表面と磁気ヘッド２１のテープ摺接面とのなす角を直角に設定することができる。しかも、取付板３２の後端面から磁気ヘッド２１のテープ摺接面までの全長Ｘを同時に正確に設定することができる。
更に、同図において、取付板３２の裏面から第１の磁気ヘッド２２のコントロールヘッド２５までのコア高さＨを予め所定の値になるように設定しながら、取付板３２の表面と第１の磁気ヘッド２２の底部とを浮かした状態で樹脂で固定することができ、従って、コア高さＨを精度良く設定することができる。また、好ましくは、磁気ヘッド２１を一対の折曲片３２ｂ、３２ｃで挟持（仮保持）した状態で固定すれば、製造において、特別な保持用治具等を用いることなく樹脂固定することができる。
【００１７】
また、図６の本実施の形態の上面図に示すように、取付板３２に対する磁気ヘッド２１の首振り、すなわち、磁気ヘッド２１のテープ摺接面に直交する方向の向きに対しても、折曲片３２ｂ、３２ｃの表面に第１の磁気ヘッド２２の側面２６ａ及び／又は２６ｂを沿わせることにより、取付板３２に対して所定の方向（矢印Ｙ）に、傾かずに正確に正面を向かせることができる。
【００１８】
【発明の効果】
叙上のとおり、本発明の磁気ヘッドの取付構造は、金属製の取付板に折曲片を設け、第１の磁気ヘッドの側面と第２の磁気ヘッドの側面とを接合した該接合部に前記折曲片を介挿し、前記接合部と前記折曲片との間に接着剤を充填して、前記第１及び第２の磁気ヘッドを前記取付板に固定したものであり、金属板からなる折曲片を支柱として接着剤で埋設した取付構造であるため、磁気ヘッドと取付板とを極めて強固に取り付けることができる。また、折曲片は、取付板をポンチによる打ち抜き等で折曲げ形成したものであるため、取付板に垂直に精度良く立設することができ、従って、該折曲片を基準に磁気ヘッドを取り付けることにより、磁気ヘッドのアジマスを正確に設定できる効果を奏する。更に、磁気ヘッドの機器への取付において、調整が不要で取付が容易となる。
【００１９】
また、本発明の磁気ヘッドの取付構造は、前記第２の磁気ヘッドの側面に凹部を設け、前記凹部に前記折曲片を挿入し、前記凹部に前記接着剤を充填したものであるため、接着剤を充填する前に、凹部内において、折曲片の側端面と凹部の内側壁とを当接させて位置決めすることができ、従って、磁気ヘッドのチルト角及び取付板の後端面から磁気ヘッドのテープ摺接面までの全長を正確に設定できる効果を奏する。
【００２０】
また、本発明の磁気ヘッドの取付構造は、前記折曲片が２個対向して設けられ、２個の前記折曲片の間に前記第１の磁気ヘッドを位置させて取り付けたものであるため、より取付強度を向上且つ安定にすることができる。また、製造工程において、磁気ヘッドを一対の折曲片で挟持（仮保持）した状態で接着することができるので、位置調整が容易となる。
【００２１】
また、本発明の磁気ヘッドの取付構造は、前記第１の磁気ヘッドの底部が前記取付板の表面から間隙を備えた浮いた状態とし、該間隙に接着剤を充填したものであるため、取付板の裏面から第１の磁気ヘッドのヘッドコアまでの高さが所定の値になるように調整して設定した状態で、取付板に磁気ヘッドを浮かせたまま固定することができ、該磁気ヘッドを機器へ装着する際のコア高さの調整が不要となる。なお、この場合において、一対の折曲片で磁気ヘッドを挟持（仮保持）するようにすれば、より調整が容易となる。
【００２２】
また、本発明の磁気ヘッドの取付構造は、前記折曲片は、前記取付板の一部を切り起こし、且つ絞り加工により薄く引き延ばして形成したものであり、折曲片の取付板の表面からの突出量を長く取ることができ、磁気ヘッドの保持を安定させることができる。また、折曲片を薄くできるので、第１の磁気ヘッドの側面の外側に突出する量が抑えられ、全体の小型化に寄与するという効果を奏する。
【図面の簡単な説明】
【図１】本発明の磁気ヘッドの取付構造を示す要部分解斜視図である。
【図２】本発明の取付板の加工方法を説明したもので、同図Ａは折り曲げ加工の説明図、同図Ｂは絞り加工の説明図である。
【図３】本発明の取付板の他の加工構造を示す斜視図である。
【図４】本発明の磁気ヘッドの取付構造の正面図である。
【図５】本発明の磁気ヘッドの取付構造を示す側面図である。
【図６】本発明の磁気ヘッドの取付構造を示す上面図である。
【図７】従来の磁気ヘッドの取付構造を示す要部断正面図である。
【図８】その他の従来の磁気ヘッドの取付構造を説明する正面図である。
【符号の説明】
２１  磁気ヘッド
２２  第１の磁気ヘッド
２３  第２の磁気ヘッド
２６  シールドケース
２６ａ、２６ｂ  側面
２８  ケース
２８ａ、２８ｂ  側面
２８ｃ  凹部
３２  取付板
３２ｂ、３２ｃ  折曲片
【図１】
0003570889.tif 000002
【図２】
0003570889.tif 000003
【図３】
0003570889.tif 000004
【図４】
0003570889.tif 000005
【図５】
0003570889.tif 000006
【図６】
0003570889.tif 000007
【図７】
0003570889.tif 000008
【図８】
0003570889.tif 000009